(57)【特許請求の範囲】
【請求項１】
紙幣入出金機出金口に設けられ、集積する紙幣を突き当てるビルストッパおよび該ビルストッパと反対側の端部に切り欠きを設けた上下動可能なステージを有する回動可能なプール部と、該プール部の下方に配置され紙幣分離時に前記ステージ上の紙幣に前記切り欠きにより当接して回転することで紙幣を分離するピッカローラを備えた紙幣集積装置において、
前記ステージ上に集積する1枚目の紙幣が紙幣鑑別部で外形の小さい金種の紙幣であると鑑別されたとき、その１枚目の紙幣が前記ステージ上に集積されると、該ステージを下げ、前記ピッカローラを回転させてその紙幣の端部を前記ビルストッパに確実に当接させた後、ステージを上げて２枚目以降の集積を連続して行い、集積すべきすべての紙幣の集積を行うことを特徴とする紙幣集積装置。
【請求項２】
紙幣入出金機出金口に設けられ、集積する紙幣を突き当てるビルストッパおよび該ビルストッパと反対側の端部に切り欠きを設けた上下動可能なステージを有する回動可能なプール部と、該プール部の下方に配置され紙幣分離時に前記ステージ上の紙幣に前記切り欠きにより当接して回転することで紙幣を分離するピッカローラを備えた紙幣集積装置において、
前記ステージ上に集積する1枚目の紙幣が紙幣鑑別部で外形の小さい金種の紙幣であると鑑別されたとき、集積すべきすべての紙幣が前記ステージ上に集積されると、該ステージを下げ、前記ピッカローラを回転させて前記1枚目の紙幣の端部を前記ビルストッパに当接させることを特徴とする紙幣集積装置。
【発明の詳細な説明】
【技術分野】
【０００１】
本発明は、紙幣自動入出金機の紙幣入出金口における紙幣集積装置に関する。
【背景技術】
【０００２】
紙幣自動入出金機は、図１に示す如く、紙幣入出金口１、一時保留部２、紙幣鑑別部３、紙幣スタッカ４ａ、４ｂ、４ｃ、リジェクト庫（ＲＪ庫）５、搬送モータ６、７、８、９等によって構成されている。
そして、上記構成の各部位は、図２に示す如く、制御部１０によって制御されている。
図２において、１１は紙幣入出金口１のシャッタ、１２は紙幣入出金口１内のプール部を駆動するモータ、１３は紙幣入出金口１に設けた紙幣感知センサである。
【０００３】
そこで、紙幣入出金口１内には、紙幣集積装置１４がある。この紙幣集積装置１４を以下に図面を用いて説明する。
図３は側面説明図、図４は平面説明図であり、図において、１５は入り口枠を構成するエスカッションである。
１６は紙幣を収納する回動可能なプール部であり、ビルプレス１７（図５参照）、スプリングによって押圧されているビルストッパ１８および紙幣集積の安定を保つために上下動可能なステージ１９等がある。
【０００４】
２０は羽根車であり、図において反時計回りに回転し、紙幣搬送路２１端にプール部１６に向かい合うように配置されている。
２２はピッカローラであり、プール部１６内の紙幣２３を分離させるものであり、このピッカローラ２２を紙幣２３に接触させるためおよび顧客がプール部１６内に集積された紙幣２３をつかみ易くするために前記ステージ１９には、図５、図６に示す如く、ビルストッパ１８と反対側の端部にコの字形の切り欠き２４が形成されている（例えば、特許文献１参照）。
【０００５】
上記のような構成によると、図４に示す如く、紙幣搬送路２１から搬送されてきた紙幣２３は、ビルストッパ１８にぶつかり、羽根車２０によって下方に叩かれてステージ１９上に集積される。
紙幣２３が集積された後、ステージ１９はプール部１６の底面まで下がり、紙幣２３はビルプレス１７に押圧された状態でプール部１６は図において反時計方向に回転し、図１６に示す如く、シャッタ１１が開き、顧客は紙幣２３を受け取ることができる。
【特許文献１】特開２００７−１９９９１４公報
【発明の開示】
【発明が解決しようとする課題】
【０００６】
しかしながら、上述した従来の技術においては、ステージ１９に切り欠き２４があるために、外形が小さな金種の紙幣（例えば、万円紙幣に対する千円紙幣）で、シワや折れによる変形がある紙幣や斜めに搬送されてきた紙幣がステージ１９上に集積されたときに、その紙幣がステージ１９からはみ出して切り欠き２４から垂れ下がることがある。
例えば、図１７、図１８に示す如く、斜めに搬送されてきた紙幣２３が切り欠き２４から垂れ下がることがあり、このような状態で、図１９に示す如く、ステージ１９を下げ、図２０に示す如く、プール部１６を回転させるとプール部１６とエスカッション１５の間に紙幣２３が挟まれてしまうという問題がある。
【０００７】
本発明は、このような問題を解決することを課題とする。
【課題を解決するための手段】
【０００８】
そこで本発明は、紙幣入出金機出金口に設けられ、集積する紙幣を突き当てるビルストッパおよび該ビルストッパと反対側の端部に切り欠きを設けた上下動可能なステージを有する回動可能なプール部と、該プール部の下方に配置され紙幣分離時に前記ステージ上の紙幣に前記切り欠きにより当接して回転することで紙幣を分離するピッカローラを備えた紙幣集積装置において、前記ステージ上に集積する1枚目の紙幣が紙幣鑑別部で外形の小さい金種の紙幣であると鑑別されたとき、その１枚目の紙幣が前記ステージ上に集積されると、該ステージを下げ、前記ピッカローラを回転させてその紙幣の端部を前記ビルストッパに確実に当接させた後、ステージを上げて２枚目以降の集積を連続して行い、集積すべきすべての紙幣の集積を行うことを特徴とする。
【０００９】
また、本発明は、紙幣入出金機出金口に設けられ、集積する紙幣を突き当てるビルストッパおよび該ビルストッパと反対側の端部に切り欠きを設けた上下動可能なステージを有する回動可能なプール部と、該プール部の下方に配置され紙幣分離時に前記ステージ上の紙幣に前記切り欠きにより当接して回転することで紙幣を分離するピッカローラを備えた紙幣集積装置において、前記ステージ上に集積する1枚目の紙幣が紙幣鑑別部で外形の小さい金種の紙幣であると鑑別されたとき、集積すべきすべての紙幣が前記ステージ上に集積されると、該ステージを下げ、前記ピッカローラを回転させて前記1枚目の紙幣の端部を前記ビルストッパに当接させることを特徴とする。
【発明の効果】
【００１０】
このようにした本発明は、外形の小さい金種の紙幣であると鑑別された１枚目の紙幣をビルストッパに端部を突き当てることにより整位するようにしてあるため、プール部を回転させたときにプール部とエスカッションとの間に紙幣を挟み込むようなことがなくなるという効果が得られる。
【発明を実施するための最良の形態】
【００１１】
以下、図面を参照して本発明による実施例を説明する。
【実施例１】
【００１２】
本願発明の構造は上記した従来技術の構造と同様であり、紙幣自動入出金機は、図１に示す如く、紙幣入出金口１、一時保留部２、紙幣鑑別部３、紙幣スタッカ４ａ、４ｂ、４ｃ、リジェクト庫５、搬送モータ６、７、８、９等によって構成されている。
そして、上記構成の各部位は、図２に示す如く、制御部１０によって制御されている。
図２において、１１は紙幣入出金口１のシャッタ、１２は紙幣入出金口１内に設けられたプール部１６を駆動するモータ、１３は紙幣入出金口１に設けた紙幣感知センサである。
【００１３】
紙幣集積装置１４は、図３の側面説明図、図４の平面説明図に示す通りである。
図において、１５は入り口枠を構成するエスカッションである。
１６は紙幣２３を収納する回動可能なプール部であり、ビルプレス１７（図５参照）、スプリングによって押圧されているビルストッパ１８および紙幣集積の安定を保つために上下動可能なステージ１９等を有している。
【００１４】
ビルストッパ１８はプール部１６の開口部と反対側の面に設けられ、プール部１６の開口部を羽根車２０側に向けた状態でステージ１９は上下動する。
２０は羽根車であり、図において反時計回りに回転し、紙幣搬送路２１端にプール部１６に向かい合うように配置されている。
２２はピッカローラであり、回転可能に軸支され、外周の一部に高摩擦部材を有し、この高摩擦部材により入金時にプール部１６内のステージ１９上の紙幣２３を摩擦分離させるものである。このピッカローラ２２を紙幣２３に接触させるためおよび顧客がプール部１６内に集積された紙幣２３をつかみ易くするために前記ステージ１９には、図５、図６に示す如く、ビルストッパ１８と反対側の端部にコの字形の切り欠き２４が形成されている。
【００１５】
前記ビルプレス１７は、紙幣２３を分離繰出しする際に、ピッカローラ２２に紙幣２３を押し付けて最適な摩擦を発生させるものである。
上述した構成の出金取引について説明する。
なお、以下に説明する各部の動作は、図示しない記憶部に格納されたプログラム（ソフトウェア）に基づいて制御部１０により制御される。
【００１６】
プール部１６の開口部を羽根車２０側に向けた状態で、紙幣鑑別部３で１枚目の紙幣２３が鑑別され、その紙幣２３が、外形の小さい金種の紙幣であると判別されたとき、図７に示す如く、１枚目の紙幣２３がステージ１９上に集積されると、図８に示す如く、ステージ１９を一旦、図においてプール部１６の底まで下げ、ピッカローラ２２を、紙幣２３をプール部１６内に入れる方向（図において、反時計回り方向つまり紙幣分離時の回転方向と逆の方向）に回転させ、その紙幣２３の端部をビルストッパ１８に確実に当接させることにより紙幣２３が斜めで正確にステージ１９上に設置されていないような場合でも正しく整位させる。
【００１７】
その後、図９に示す如く、ステージ１９を上げて２枚目以降の集積を再開し、集積を連続して行い、すべての紙幣２３の集積が終わると、図１０に示す如く、ステージ１９を下げ、図１１に示す如く、プール部１６をその開口部が紙幣入出金口１に対応する位置に達するまで回転させてシャッタ１１を開けることにより顧客が紙幣を取り出すことができる状態にする。
【００１８】
以上説明したように上記実施例１によると、外形の小さい金種の紙幣であると鑑別された１枚目の紙幣２３をステージ１９上に集積したとき、ステージ１９を下ろしてピッカローラ２２を、紙幣２３をプール部１６内へ入れる方向に回転させることにより、ずり落ちて斜めに集積されたような紙幣２３であってもビルストッパ１８に端部を確実に突き当てることにより、ステージ１９の切り欠き２４にずり落ちた状態を整位することができる。
【００１９】
これにより、1枚目の紙幣２３がステージ１９の切り欠き２４をふさぐことになり、２枚目以降の紙幣からはステージ１９の切り欠き２４から垂れ下がることはなくなる。したがって、プール部１６を回転させたときにプール部１６とエスカッション１５との間に紙幣を挟み込むようなことがなくなる。
【実施例２】
【００２０】
本実施例も紙幣集積装置は前記実施例１と同様であるために構造の説明は省略し、同一符号を用いて出金取引について説明する。
プール部１６の開口部を羽根車２０側に向けた状態で、紙幣鑑別部３で１枚目の紙幣２３が鑑別され、その紙幣２３が、外形の小さい金種の紙幣であると判別された場合において、図１２に示す如く、すべての紙幣２３がステージ１９上に集積されると、図１３に示す如く、ステージ１９を、図においてプール部１６の底まで下げ、ピッカローラ２２を、紙幣２３がプール部１６内に入れる方向（図において、反時計回り）に回転させ、図１４に示す如く、１枚目の紙幣２３の端部をビルストッパ１８に確実に当接させることにより、紙幣２３が斜めで正確にステージ１９上に設置されていないような場合でも正しく整位させる。
【００２１】
その後、図１５に示す如く、プール部１６を紙幣入出金口１まで回転させてシャッタ１１を開けることにより顧客が紙幣２３を取り出すことができる状態にする。
以上説明したように上記実施例２によると、１枚目の紙幣２３が外形の小さい金種の紙幣であってその紙幣２３が斜めであった場合、その紙幣でステージ１９の切り欠き２４をふさいで小さくしている。そのため２枚目以降の紙幣が外形が小さい紙幣であっても切り欠きからずり落ちにくくなる。
【００２２】
そこで、1枚目の紙幣２３が外形の小さい金種の紙幣でさると判別された場合、すべての紙幣が集積された後に、ステージ１９を下げ、ピッカローラ２２を紙幣２３をプール部１６内に入れる方向に回転させて１枚目の紙幣２３をビルストッパ１８に端部を確実に突き当てるようにしているため、1枚目が斜めに集積されたような紙幣２３であっても整位させることができ、紙幣２３がステージ１９からはみ出ていてもステージ１９の切り欠き２４から垂れ下がった状態を整位することができ、これにより、プール部１６を回転させたときにプール部１６とエスカッション１５との間に紙幣２３を挟み込むようなことがなくなる。
【００２３】
なお、２枚目の紙幣２３も斜めに集積されていても、ピッカローラ２２の回転で連続して整位することができる。
以上各実施例では、紙幣鑑別部が外形の小さい金種の紙幣であると鑑別した場合のみ動作し、紙幣の外形の大きい（切り欠きにずり落ちない）場合は、ステージの上下動やピッカローラの回転動作を行わないので処理速度の低下を抑えることができる。
【００２４】
また、上記説明では紙幣について説明したが、これに限定するものではなく、金券、入場券もしくは乗車券等どのチケット類の集積装置としても応用することができる。
【図面の簡単な説明】
【００２５】
【図１】紙幣自動入出金機の構成図
【図２】紙幣自動入出金機のブロック図
【図３】紙幣集積装置の側断面説明図
【図４】紙幣集積装置の平面説明図
【図５】プール部の説明斜視図
【図６】ステージの説明斜視図
【図７】実施例１の動作を示す説明図
【図８】実施例１の動作を示す説明図
【図９】実施例１の動作を示す説明図
【図１０】実施例１の動作を示す説明図
【図１１】実施例１の動作を示す説明図
【図１２】実施例２の動作を示す説明図
【図１３】実施例２の動作を示す説明図
【図１４】実施例２の動作を示す説明図
【図１５】実施例２の動作を示す説明図
【図１６】紙幣取り出し時の説明図
【図１７】集積状態の平面説明図
【図１８】集積状態の側断面説明図
【図１９】集積状態の側断面説明図
【図２０】紙幣取り出し時の説明図
【符号の説明】
【００２６】
１  紙幣入出金口
２  一時保留部
３  紙幣鑑別部
４  紙幣スタッカ
５  リジェクト庫
６、７、８、９  搬送モータ
１０  制御部
１１  シャッタ
１２  モータ
１３  紙幣感知センサ
１４  紙幣集積装置
１５  エスカッション
１６  プール部
１７  ビルプレス
１８  ビルストッパ
１９  ステージ
２０  羽根車
２１  紙幣搬送路
２２  ピッカローラ
２３  紙幣
２４  切り欠き
【図１】
0005186901.tif 000002
【図２】
0005186901.tif 000003
【図３】
0005186901.tif 000004
【図４】
0005186901.tif 000005
【図５】
0005186901.tif 000006
【図６】
0005186901.tif 000007
【図７】
0005186901.tif 000008
【図８】
0005186901.tif 000009
【図９】
0005186901.tif 000010
【図１０】
0005186901.tif 000011
【図１１】
0005186901.tif 000012
【図１２】
0005186901.tif 000013
【図１３】
0005186901.tif 000014
【図１４】
0005186901.tif 000015
【図１５】
0005186901.tif 000016
【図１６】
0005186901.tif 000017
【図１７】
0005186901.tif 000018
【図１８】
0005186901.tif 000019
【図１９】
0005186901.tif 000020
【図２０】
0005186901.tif 000021